(57)【要約】【課題】  開閉扉の開閉動作に影響されることのない複数段に積層される小物ポケットと、この小物ポケットを備えた冷蔵庫を提供する。【解決手段】  冷蔵庫１の開閉扉４の内部面８に固定して取り付けられる第２収納ポケット１１０の下面に、上部が開放した薄い小物ポケット１５０を積層して取り付け、第２収納ポケット１１０の開閉扉４のヒンジ機構７側の端部の前方に設けた回転軸２０を介して、小物ポケット１５０を９０度まで回転可能に取り付けるようにする。【選択図】  図１
2012207855.tif 000002
【特許請求の範囲】
【請求項１】
冷蔵庫の開閉扉の内部面に固定して取り付けられる収納ポケットの下面に、上部が開放した薄い小物ポケットを積層して取り付け、収納ポケットの開閉扉のヒンジ機構側の端部の前方に設けた回転軸を介して、小物ポケットを９０度まで回転可能に取り付けたことを特徴とする冷蔵庫。
【請求項２】
請求項１記載の冷蔵庫において、
前記小物ポケットの取り付ける高さと、前記開閉扉が取り付けられる貯蔵室を上下に区切る収納棚の高さとを一致させた
ことを特徴とする冷蔵庫。
【請求項３】
冷蔵庫の開閉扉の内部面に固定して取り付けられる収納ポケットの下面に、上部が開放した薄い小物ポケットを積層して取り付け、収納ポケットの開閉扉のヒンジ機構側の端部の前方に設けた回転軸を介して、小物ポケットを回転可能に取り付け、
前記回転軸に小物ポケットの９０度以上の開放を制限するバネを取り付けた
ことを特徴とする冷蔵庫。
【請求項４】
請求項３記載の冷蔵庫において、
前記バネは、回転軸を中心に引き出された小物ポケットを元の状態に戻すように作用する
ことを特徴とする冷蔵庫。
【発明の詳細な説明】
【技術分野】
【０００１】
本発明は、開閉扉の内壁面に取り付けられる収納ポケットを備えた冷蔵庫に関するものである。
【背景技術】
【０００２】
現在主流となっている冷蔵庫は、冷蔵室の前面に開閉扉を設け、この開閉扉の内壁面に上下に複数配列される収納ポケットを設けている。これらの収納ポケットは、最下部にボトル類を収納する大型の収納ポケットを設け、その上部には、卵やチューブ類などの小物食品を収納する小型の収納ポケットを設けている。
【０００３】
ところで、扉内側のドアポケットには、例えば弁当用の調味料ケース又は一回で使い切るマヨネーズなどの細々とした調味料などの小物を収納するための専用のポケットは取り付けられていなかった。そのため、冷蔵庫内に散乱しており、他の食品に紛れて使用することなく処分されるなど無駄が生じていた。また、ドアポケット内に収納したとしても、扉の開閉時にポケット内で動き、落下してしまう危険性も多かった。
【０００４】
この課題を解決するために、従来例では、上面が開口した小物ポケットをドアポケットの下側に前方に引き出しまたは回転可能に設けたものが開示されている。この従来例によれば、小物ポケット内に細々した調味料などの食品を収納して置けるので、冷蔵庫の扉の内側を円滑に整理することができるようになる。また、通常デッドスペースになり易いドアポケット下側の空間を利用できるので、収納効率の改善も図れる。
【先行技術文献】
【特許文献】
【０００５】
【特許文献１】特開２０００−１０５０６６号公報
【発明の概要】
【発明が解決しようとする課題】
【０００６】
前記従来例では、最上部に配置され冷蔵室に開閉可能に取り付けられる1ドアの開閉扉の内部壁面に設けられる小物ポケットが開示されている。この小物ポケットは、開閉扉に固定して取り付けられる固定収納ポケットの下側に積層されて取り付けられるものであり、開閉扉の自由端側に設けた回転軸を介して固定収納ポケットの下に隠蔽された状態を、前記回転軸を介して引き出した状態を取りえる構造を備えている。
【０００７】
しかし、この従来例では、小物ポケットを引き出した状態で、開閉扉を閉めた時に生じる小物ポケットの破損の課題については開示されていない。特に、この従来の小物ポケットは、大きな1ドアの開閉扉の自由端側（回転ヒンジの反対側）の端部を回転軸として引き出され、しかも、引き出された状態では、開閉扉の先端から小物ポケットの一部がはみ出した状態となる。このような状態で、開閉扉を閉めると、この閉める動作により小物ポケットが破損することになる。この破損の課題に対して、従来技術では開示されていない。
【０００８】
そこで、この発明の目的とするところは、開閉扉の開閉動作に影響されることのない複数段に積層される小物ポケットと、この小物ポケットを備えた冷蔵庫を提供することにある。
【課題を解決するための手段】
【０００９】
前記目的を達成するために、この発明に係る冷蔵庫は、冷蔵庫の開閉扉の内部面に固定して取り付けられる収納ポケットの下面に、上部が開放した薄い小物ポケットを積層して取り付け、収納ポケットの開閉扉のヒンジ機構側の端部の前方に設けた回転軸を介して、小物ポケットを９０度まで回転可能に取り付けるようにする。
【発明の効果】
【００１０】
この発明によれば、小物ポケットは、開閉扉の回転ヒンジ部側を回転軸として回転可能に取り付けられているので、小物ポケットが引き出された状態であっても、開閉扉を閉める動作にともなって閉めることができるので、小物ポケットの破損の課題を軽減することができる。
【図面の簡単な説明】
【００１１】
【図１】第1実施例に係る冷蔵庫の概略構成図である。
【図２】第1実施例に係る小物ポケットを備えた収納ポケットの部品展開図である。
【図３】第1実施例に係る小物ポケットを備えた収納ポケットの外観図である。
【図４】第1実施例に係る小物ポケットを備えた収納ポケットの回転軸近傍の横断面図である。
【図５】第1実施例に係る小物ポケットを備えた収納ポケットの回転軸近傍の縦断面図である。
【図６】第1実施例に係る小物ポケットの使用状態の参考図である。
【図７】第２実施例に係る小物ポケットを備えた収納ポケットの部品展開図である。
【図８】第２実施例に係る小物ポケットを備えた収納ポケットの回転軸近傍の横断面図である。
【図９】第２実施例に係る小物ポケットを備えた収納ポケットの回転軸近傍の縦断面図である。
【図１０】第２実施例に係る小物ポケットの使用状態の参考図である。
【図１１】第２実施例に係る小物ポケットの使用状態の参考図である。
【図１２】第２実施例に係る小物ポケットの使用状態の参考図である。
【発明を実施するための形態】
【００１２】
以下、本発明に係る冷蔵庫用の小物ポケットの実施例を図１から図１２を参照して具体的に説明する。ここで、図１から図６が第１実施例に係る小物ポケットを示し、図７から図１２に第２実施例の小物ポケットを示している。なお、同様な部位や矢印などは同一符号をもって示し、重複した説明を省略する。
（第１実施例）
先ず、図１と図６を参照して、第１実施例に係る小物ポケットを備えた冷蔵庫の概略構造を説明する。ここで、図１は、第1実施例に係る冷蔵庫の概略構成図であり、（ａ）図は冷蔵庫の開閉扉を解放した状態の要部外観図、（ｂ）図が小物ポケットを引き出した状態の斜視図、（ｃ）図は小物ポケットを収納した状態の斜視図を示している。図６は、第１実施例に係る小物ポケットの使用状態の参考図である。なお、(ａ)図の吹き出し内には、小物ポケットを収納した第２収納ポケットの外観を示している。
【００１３】
図１の（ａ）図に示すように、この実施例に係る冷蔵庫１は、断熱材を内蔵した冷蔵庫筺体２の前面の開放部３を覆うように開閉扉４を取り付けている。一般に、冷蔵庫１は、冷蔵庫筺体２の前面部を仕切り板５で複数に分割し、その分割された複数の収納部６を開閉扉４または図示しない引出扉で覆う構造を採用している。この実施例では、ヒンジ機構７を介して片方開きまたは両開きで開閉可能な開閉扉４に適用することができる。この実施例では、最上部に形成される冷蔵室（収納部６）の前面を観音開きの開閉扉４で構成した冷蔵庫１の事例で説明している。もちろん、冷蔵庫筺体２の前面部を1枚の開閉扉で構成した１ドアタイプの冷蔵庫に適用することもできる。
【００１４】
この実施例に係る開閉扉４は、その内部面８に複数の収納ポケット１００を上下に備えている。例えば、この実施例では、最下部にペットボトルやビン類を収納することができる大型の第１収納ポケット１０１を設け、その上部に卵やチューブ類などの小物食品を収納することができる小型の第２収納ポケット１１０を１個または複数個設けている。また、この実施例では、第１収納ポケット１０１を固定して設けているが、第２収納ポケット１１０は、図示しない取付構造にて取り付ける高さを調整することができる。
【００１５】
そして、この実施例に係る冷蔵庫１の大きな特徴の１つは、冷蔵庫１の開閉扉４の内部面８に固定して取り付けられる第２収納ポケット１１０の下面に、上部が開放した薄い小物ポケット１５０を積層して取り付け、第２収納ポケット１１０の開閉扉４のヒンジ機構７側の端部の前方に設けた回転軸２０を介して、小物ポケット１５０を９０度まで回転可能に取り付けた点にある。
【００１６】
即ち、従来の冷蔵庫では、弁当用の調味料ケース又は一回で使い切るマヨネーズなどの細々とした調味料などの小物を収納するスペースがないという課題がある。これら細々とした調味料などの小物は、通常、収納ポケット１００に収納することになるが、収納ポケット１００の底が深いために迷子になってしまう課題がある。そこで従来例では、収納ポケット１００の下部に薄い小物ポケット１５０を引き出し可能に積層した構造のものが提案されている。
【００１７】
しかし、この従来例では、小物ポケット１５０を引き出された状態で、誤って、開閉扉を閉めた際に生じる小物ポケット１５０などの破損の課題を解決していない。このために、安全性の観点から、前記従来例の構造をそのまま実施することができない課題がある。そこで、この発明者らは、小物ポケット１５０を引き出すための回転軸２０を、開閉扉４のヒンジ機構７側の第２収納ポケット１１０の底面に設けることを着想した。この回転軸２０の配置であれば、引き出された小物ポケット１５０の端部が他方の開閉扉４の端部や冷蔵室（収納部６）を上下に仕切る仕切り棚９、あるいはこの仕切り棚９に収納される食品に当たっても、ヒンジ機構７を中心に回転する開閉扉４の閉める動作に連動して、回転軸２０を中心に小物ポケット１５０を破損させることなく閉めることができる。
【００１８】
しかし、この発明者らの実験的検証によれば、図６に示すような特殊な状態で、小物ポケット１５０を破損する恐れがあることを発見した。
【００１９】
つまり、図６の（ａ）図に示すように、ヒンジ機構７と回転軸２０までの長さＬ２と、回転軸２０から最も距離のある小物ポケット１５０の端部までの長さＬ３との和が、ヒンジ機構７と開閉扉４の自由端部までの長さＬ１より大きい場合に、引き出された小物ポケット１５０の端部が開閉扉４に当たる可能性がある。
【００２０】
この場合、小物ポケット１５０の引き出される回転角度Θ１が90度であれば、小物ポケット１５０の端部が他の開閉扉４に当たる応力が、小物ポケット１５０を閉める方向に作用するので、小物ポケット１５０を破損することなく開閉扉４を閉めることができる。更に、小物ポケット１５０の端部が、仕切り棚９や収納食品に当たっても、前記同様な作用により、開閉扉４を閉めることができる。
【００２１】
一方、引き出された小物ポケット１５０の端部が他の開閉扉４に当たらない回転角度Θ１まで小物ポケット１５０を回転させれば、他の開閉扉４との衝突による破損を回避することができる。しかし、この場合は、小物ポケット１５０の端部が仕切り棚９と衝突しないように、小物ポケット１５０の取り付け位置を仕切り棚９の取り付け位置とが重複しないようにする必要がある。ただ、この場合、図６（ｂ）図のように、小物ポケット１５０の端部が収納される食品と衝突する課題は残されている。
【００２２】
また、図６（ａ）図に示すように、他の開閉扉４と当たる小物ポケット１５０の端部の形状にもよるが、回転角度Θ１が90度を超えたある特定の角度で、小物ポケット１５０の端部と他の開閉扉４とが衝突すると、その衝突の応力が小物ポケット１５０の破損の力となることが実験的検証で確認した。
【００２３】
そこで、図１に示すように、この発明では、回転軸２０をヒンジ機構７側の第２収納ポケット１１０の底面の前方に設け、この回転軸２０を中心とする小物ポケット１５０の回転角度Θ１を９０度の範囲で回転可能に設けるように設定した。この構造であれば、収納時に第２収納ポケット１１０により隠蔽される小物ポケット１５０の上部を、小物食品を出し入れしたり、あるいは収納した小物食品を識別するのに十分な範囲で開放することができる。しかも、この９０度の回転角度Θ１であれば、前記衝突による破損の課題を軽減することができる。
【００２４】
また、この実施例に係る冷蔵庫１の大きな特徴の他の１つは、回転して引き出された小物ポケット１５０を元に戻そうとするバネ３１を回転軸２０に設けた点にある。
【００２５】
即ち、前記したように、前記衝突による破損の課題を軽減するために、この実施例では、回転軸２０にバネ３１を設けている。このバネ３１は、少なくとも回転角度Θ１が９０度以上回転しないように作用すれば足りる。しかし、この実施例では、商品性の整合性や精度を考慮して、回転して引き出された小物ポケット１５０を元の収納位置まで復元できるように作用するバネ３１を採用している。
【００２６】
バネ２１を備えたこの実施例によれば、（ａ）図の吹き出し内の状態から、片手で小物ポケット１５０を回転させて引き出すことができる。そして、この（ｂ）図の引き出した状態から手を離せば、(ｃ)図に示すように、元の収納状態に戻すことができる。
【００２７】
以下、図２から図５を参照して、更に詳細に説明する。ここで、図２は、小物ポケットを備えた収納ポケットの部品展開図である。図３は、小物ポケットを備えた収納ポケットの外観図であり、（ａ）図が平面図、（ｂ）図が正面図、（ｃ）図が右側面図、(ｄ)図が底面図、（ｅ）図が小物ポケットを引き出した状態の平面図である。図４は、小物ポケットを備えた収納ポケットの回転軸近傍の横断面図であり、(ａ)図が小物ポケットの横断面図、（ｂ）図が（ａ）図における回転軸近傍の拡大横断面図、(ｃ)図が小物ポケットを引き出した状態の横断面図、（ｄ）図が（ｃ）図における回転軸近傍の拡大横断面図を示している。図５は、小物ポケットを備えた収納ポケットの回転軸近傍の縦断面図である。
【００２８】
図２において、この実施例では、第２収納ポケット１１０の底面に回転軸２０を構成する断面が円形の回転突起２１を形成し、この回転突起２１を回転可能に支持する回転受部２２を小物ポケット１５０に設けている。小物ポケット１５０は周囲に縁部１５１を形成した底が浅い透明樹脂で形成される皿形状としている。
【００２９】
第２収納ポケット１１０と小物ポケット１５０とは、バネ３１を挟んで、回転突起２１を回転受部２２に挿入し、挿入した回転突起２１の先端をネジ２３で止めることで、回転可能に連結される。ここで、この実施例のバネ３１はコイルバネを採用しており、バネ３１の一端は第２収納ポケット１１０に取り付けられ、バネ３１の他端は小物ポケット１５０に取り付けられている。
【００３０】
図３において、この実施例の第２収納ポケット１１０は、前部の両側が大きな丸みで形成され、後部の両側には、開閉扉４の内部面８の両側に張り出して形成される収納ポケット取付部１０（図１参照）に嵌合するための切欠部１１２が形成されている。第２収納ポケット１１０は上部の周囲に縁部１１１を残して開放された箱型の形状を備えている。
【００３１】
一方、第２収納ポケット１１０の下方に積層される小物ポケット１５０は、第２収納ポケット１１０の投影面内に収まる大きさを備えており、回転軸２０を中心に小物ポケット１５０を回転させた際に小物ポケット１５０の後部が収納ポケット取付部１０に当たらないように小さく形成されている。
【００３２】
また、回転軸２０は、第２収納ポケット１１０の前部右側端部（ヒンジ機構７側）に設けているので、（ｅ）図に示すように、小物ポケット１５０を９０度回転させて引き出した状態では、その上面の収納部を大きく開放することができる。
【００３３】
図４及び図５において、この実施例では回転軸２０を囲うようにコイル状のバネ３１を取り付けている。図４の(ａ)図と（ｂ）図及び図５に示すように、小物ポケット１５０を収納した状態では、コイル状のバネ３１の両端は負荷を受けないように、第２収納ポケット１１０と小物ポケット１５０に取り付けられている。
【００３４】
この負荷を受けない状態から、図４の（ｃ）図と（ｄ）図に示すように、小物ポケット１５０を９０度回転させると、コイル状のバネ３１は、９０度開かれるため、元に戻ろうとする応力を発生させる。この作用により、図１の（ｂ）図に示すような小物ポケット１５０を９０度回転させた状態から、手を離すと、図１(ｃ)図（図４(ａ)(ｂ)図）に示すように元の状態に戻すことができる。
（第２実施例）
次に、図７から図１２を参照して、この第２実施例に係る小物ポケット１５０を説明する。この第２実施例は、回転角度Θ１が９０度まで小物ポケット１５０を回転可能に支持する回転軸４０を採用した点に特徴がある。
【００３５】
ここで、図７は、第２実施例に係る小物ポケットを備えた収納ポケットの部品展開図である。図８は、小物ポケットを備えた収納ポケットの回転軸近傍の横断面図である。図９は、小物ポケットを備えた収納ポケットの回転軸近傍の縦断面図である。図１０から図１２は、小物ポケットの使用状態の参考図である。
【００３６】
先ず、図７において、この実施例では、第２収納ポケット１１０の底面に回転軸４０を構成する断面が円形の回転突起４１を形成し、この回転突起４１を回転可能に支持する回転受部４２を小物ポケット１５０に設けている。第２収納ポケット１１０と小物ポケット１５０とは、回転突起４１を回転受部４２に挿入し、挿入した回転突起４１の先端をネジ２３で止めることで、回転可能に連結される。
【００３７】
図８及び図９において、回転突起４１を支持する回転受部４２の内面には回転軸に沿って突起部４３が形成されている。一方、回転受部４２に挿入される回転突起４１には、回転軸に沿って突起部４３を９０度の範囲で回転動作を許容する溝部４４されている。この構造によれば、回転受部４２と突起部４３とは、溝部４４内に突起部４３を収めるように突起部４３が回転受部４２に挿入されて回転可能に支持される。もちろん、回転突起４１に突起部４３を形成し、回転受部４２に溝部４４を設けるようにしてもよい。
【００３８】
図８の(ａ)(ｂ)図に示すように、小物ポケット１５０が第２収納ポケット１１０の下部に収納されている状態では、溝部４４内の一端側に突起部４３が位置するように、溝部４４と突起部４３が形成されている。この状態であれば、図８(ｃ)図（ｄ）図に示すように、突起部４３を溝部４４内の他端側に移動させることができる。つまり、小物ポケット１５０を回転させて引き出すことができる。溝部４４は突起部４３を９０度の範囲で移動可能に許容するので、小物ポケット１５０を９０度回転させることができる。
【００３９】
このように、この第２実施例に係る小物ポケット１５０は、最大９０度まで回転して引き出すことができる。したがって、図６で説明したように、９０度まで引き出された小物ポケット１５０の先端が、開閉扉４の閉める動作により、他の開閉扉４や障害物に当たっても、収納される方向に小物ポケット１５０が動作するので、小物ポケット１５０の破損を軽減することができる。
【００４０】
また、この実施例では、小物ポケット１５０を取り付ける高さと、仕切り棚９の取り付け高さを一致させるようにしている。このため、他の開閉扉４が開かれた状態で、引き出された小物ポケット１５０の開閉扉４を閉めても、引き出された小物ポケット１５０の先端は仕切り棚９に当たるので、収納される方向に小物ポケット１５０が動作するので、小物ポケット１５０の破損や収納される食品への影響を軽減することができる。
【００４１】
次に、図１０から図１２を参照して、この第２の実施例に係る小物ポケット１５０の使い勝手を説明する。
【００４２】
先ず、図１０において、この実施例に係る小物ポケット１５０を備えた冷蔵庫１によれば、開閉扉４を閉めた状態においては、小物ポケット１５０が第２収納ポケット１１０の投影面積内に収まって収納されている。この状態から、小物ポケット１５０に小物食品を出し入れする場合は、（ａ）図に示すように、小物ポケット１５０を備えた一方の開閉扉４をヒンジ機構７を中心に開放し、（ｂ）図に示すように小物ポケット１５０を回転軸４０を中心に回転して引き出すことで、小物食品を出し入れすることができる。
【００４３】
図１１の(ａ)図に示すように、この実施例の小物ポケット１５０は第１実施例のようなバネ３１を備えていないので、回転して引き出された小物ポケット１５０は、その引き出された状態を維持する。
【００４４】
この（ａ）図の状態から、（ｂ）図に示すように、開閉扉４が閉められて小物ポケット１５０の端部が他の開閉扉４に当たっても、図６で説明した作用により、小物ポケット１５０を収納する方向に回転させることができる。したがって、（ｃ）図に示すように、開閉扉４が閉められる動作に連動して小物ポケット１５０が回転して収納されるので、開閉扉４を閉めることができる。
【００４５】
更に、図１２に示すように、一対の開閉扉４を同時に開放して、小物ポケット１５０を引き出した図１２の（ａ）図の状態から（ｂ）図に示すように小物ポケット１５０を備えた開閉扉４を閉めると、回転して引き出された小物ポケット１５０の端部は、仕切り棚９の先端に当たることになる。これにより、小物ポケット１５０は、他の開閉扉４に当たったと同様に、開閉扉４が閉められる動作に連動して小物ポケット１５０が回転して収納されるので、開閉扉４を閉めることができる。
【００４６】
このように、この実施例では、細々した小物食品を、第２収納ポケット１１０の下方に積層された小物ポケット１５０に効率よく収納することができる。特に、第２収納ポケット１１０の底面近傍はデッドスペースとなりがちな課題があるが、この実施例では、この第２収納ポケット１１０の底面近傍を収納スペースとして活用することができる。
【００４７】
そして、最大の特徴は、この小物ポケット１５０の従来からの課題である開閉扉４の閉める動作にともなう破損の課題を使い勝手を損なうことなく軽減することができる。
【符号の説明】
【００４８】
１…冷蔵庫、２…冷蔵庫筺体、３…開放部、４…開閉扉、５…仕切り板、６…収納部、７…ヒンジ機構、８…内部面、９…仕切り棚、１０…収納ポケット取付部、２０…回転軸、２１…回転突起、２２…回転受部、２３…ネジ、３１…バネ、４０…回転軸、４１…回転突起、４２…回転受部、４３…突起部、４４…溝部、１００…収納ポケット、１０１…第１収納ポケット、１１０…第２収納ポケット、１１１…縁部、１１２…切欠部、１５０…小物ポケット、１５１…縁部、Θ１…回転角度
【図１】
2012207855.tif 000003
【図２】
2012207855.tif 000004
【図３】
2012207855.tif 000005
【図４】
2012207855.tif 000006
【図５】
2012207855.tif 000007
【図７】
2012207855.tif 000008
【図８】
2012207855.tif 000009
【図９】
2012207855.tif 000010
【図６】
2012207855.tif 000011
【図１０】
2012207855.tif 000012
【図１１】
2012207855.tif 000013
【図１２】
2012207855.tif 000014